(57)【特許請求の範囲】
【請求項１】
ＩＰネットワークに接続された複数個の電話端末が複数の大グループに分割され、前記大グループ内の複数個の電話端末が、さらに複数の小グループに分割され、前記複数の大グループおよび前記複数の小グループが、システム内交換管理装置によって管理されると共に、前記大グループの複数個で前記電話端末についての内線番号計画を共有することが可能である前記電話端末のＶｏＩＰ電話システムにおける着信転送方法であって、
他の電話端末への着信転送の設定がなされている転送元への着信があったときに、前記転送元が、前記システム内交換管理装置に対し転送先についてのアドレス解決要求を送信する工程と、
前記アドレス解決要求を受けた前記システム内交換管理装置が、前記転送先に当該転送先についてのアドレス解決要求を送信する工程と、
前記アドレス解決要求を受けた前記転送先が、当該転送先についての少なくとも公衆番号を製造者特有情報として含むアドレス解決応答を前記システム内交換管理装置に返信する工程と、
前記アドレス解決応答を受信したシステム内交換管理装置が、前記製造者特有情報を含むアドレス解決応答を前記転送元に返信する工程と、
他の電話端末への着信転送の設定が内線番号によってなされていると共に、前記着信が公衆番号を発信元の番号として含むものであったときに、前記システム内交換管理装置からの前記アドレス解決応答を受信した前記転送元が、前記発信元に対して再呼出しのアドレスを公衆番号で通知する工程と
を備えることを特徴とするＶｏＩＰ電話システムにおける着信転送方法。
【請求項２】
前記転送元は、着信を受けた電話端末であることを特徴とする請求項１に記載のＶｏＩＰ電話システムにおける着信転送方法。
【請求項３】
前記転送先は、電話端末であることを特徴とする請求項１に記載のＶｏＩＰ電話システムにおける着信転送方法。
【請求項４】
前記小グループ内の複数の電話端末は、グループ内交換管理装置によって管理され、
前記転送元は、着信を受ける電話端末を管理する前記グループ内交換管理装置であることを特徴とする請求項１に記載のＶｏＩＰ電話システムにおける着信転送方法。
【請求項５】
前記小グループ内の複数の電話端末は、グループ内交換管理装置によって管理され、
前記転送先は、転送を受ける電話端末を管理する前記グループ内交換管理装置であることを特徴とする請求項１に記載のＶｏＩＰ電話システムにおける着信転送方法。
【請求項６】
前記転送元が、前記システム内交換管理装置に対し転送先についてのアドレス解決要求を送信する工程は、内線番号によって他の電話端末への着信転送の設定がなされているときにのみ行われることを特徴とする請求項１に記載のＶｏＩＰ電話システムにおける着信転送方法。
【請求項７】
ＩＰネットワークに接続された複数個の電話端末が複数の大グループに分割され、前記大グループ内の複数個の電話端末が、さらに複数の小グループに分割され、前記複数の大グループおよび前記複数の小グループが、システム内交換管理装置によって管理されると共に、前記大グループの複数個で前記電話端末についての内線番号計画を共有することが可能である前記電話端末のＶｏＩＰ電話システムに用いられる前記電話端末であって、
着信があったときに、他の電話端末への着信転送の設定がなされているかどうかを判別する判別手段と、
前記判別手段により前記着信転送の設定がなされていると判別されたときに、前記システム内交換管理装置に対し転送先についてのアドレス解決要求を送信する手段と、
前記転送先についての少なくとも公衆番号を製造者特有情報として含むアドレス解決応答を前記システム内交換管理装置から受信する手段と、
他の電話端末への着信転送の設定が内線番号によってなされていると共に、前記着信が公衆番号を発信元の番号として含むものであったときに、前記アドレス解決応答から抽出した前記公衆番号で、前記発信元に対して再呼出しのアドレスを通知する手段と
を備えることを特徴とするＶｏＩＰ電話システム用の電話端末。
【請求項８】
前記判別手段では、さらに、他の電話端末への着信転送の設定が内線番号によってなされているかどうかを判別し、
前記アドレス解決要求を送信する手段は、内線番号によって他の電話端末への着信転送の設定がなされているときにのみ前記アドレス解決要求を前記システム内交換管理装置に送る
ことを特徴とする請求項７に記載のＶｏＩＰ電話システム用の電話端末。
【請求項９】
ＩＰネットワークに接続された複数個の電話端末が複数の大グループに分割され、前記大グループ内の複数個の電話端末が、さらに複数の小グループに分割され、前記複数の大グループおよび前記複数の小グループが、システム内交換管理装置によって管理されると共に、前記大グループの複数個で前記電話端末についての内線番号計画を共有することが可能である前記電話端末のＶｏＩＰ電話システムにおいて用いられる前記電話端末であって、
前記システム内交換管理装置からのアドレス解決要求を受信する手段と、
少なくとも当該電話端末の公衆番号を製造者特有情報として含むアドレス解決応答を前記システム内交換管理装置に返信する手段と
を備えることを特徴とするＶｏＩＰ電話システム用の電話端末。
【請求項１０】
ＩＰネットワークに接続された複数個の電話端末が複数の大グループに分割され、前記大グループ内の複数個の電話端末が、さらに複数の小グループに分割され、前記複数の大グループおよび前記複数の小グループが、システム内交換管理装置によって管理されると共に、前記小グループ内の複数の電話端末は、グループ内交換管理装置によって管理され、前記大グループの複数個で前記電話端末についての内線番号計画を共有することが可能である前記電話端末のＶｏＩＰ電話システムに用いられる前記グループ内交換管理装置であって、
着信先の電話端末において、他の電話端末への着信転送の設定がなされているかどうかを判別する判別手段と、
前記判別手段により前記着信転送の設定がなされていると判別されたときに、前記システム内交換管理装置に対し転送先についてのアドレス解決要求を送信する手段と、
前記転送先についての少なくとも公衆番号を製造者特有情報として含むアドレス解決応答を前記システム内交換管理装置から受信する手段と、
他の電話端末への着信転送の設定が内線番号によってなされていると共に、前記着信が公衆番号を発信元の番号として含むものであったときに、前記アドレス解決応答から抽出した前記公衆番号で、前記発信元に対して再呼出しのアドレスを通知する手段と
を備えることを特徴とするＶｏＩＰ電話システム用のグループ内交換管理装置。
【請求項１１】
前記判別手段では、さらに、他の電話端末への着信転送の設定が内線番号によってなされているかどうかを判別し、
前記アドレス解決要求を送信する手段は、内線番号によって他の電話端末への着信転送の設定がなされているときにのみ前記アドレス解決要求をシステム内交換管理装置に送る
ことを特徴とする請求項１０に記載のＶｏＩＰ電話システム用のグループ内交換管理装置。
【請求項１２】
ＩＰネットワークに接続された複数個の電話端末が複数の大グループに分割され、前記大グループ内の複数個の電話端末が、さらに複数の小グループに分割され、前記複数の大グループおよび前記複数の小グループが、システム内交換管理装置によって管理されると共に、前記小グループ内の複数の電話端末は、グループ内交換管理装置によって管理され、前記大グループの複数個で前記電話端末についての内線番号計画を共有することが可能である前記電話端末のＶｏＩＰ電話システムに用いられる前記グループ内交換管理装置であって、
前記システム内交換管理装置からのアドレス解決要求を受信する手段と、
少なくともアドレス解決要求に示される電話端末の公衆番号を製造者特有情報として含むアドレス解決応答を前記システム内交換管理装置に返信する手段と
を備えることを特徴とするＶｏＩＰ電話システム用のグループ内交換管理装置。
【発明の詳細な説明】
【０００１】
【発明の属する技術分野】
この発明は、ＶｏＩＰ（Ｖｏｉｃｅ  ｏｖｅｒ  Ｉｎｔｅｒｎｅｔ  Ｐｒｏｔｏｃｏｌ）電話システム、このＶｏＩＰ電話システム用の電話端末およびグループ内交換管理装置に関する。
【０００２】
【従来の技術】
インターネットやイントラネットのようなＩＰ（Ｉｎｔｅｒｎｅｔ  Ｐｒｏｔｏｃｏｌ）ネットワークを利用して音声信号を送る技術であるＶｏＩＰを用いて電話通信を行うようにするＶｏＩＰ電話システムが提供されている。このＶｏＩＰ電話システムは、例えば、一般のＬＡＮ（Ｌｏｃａｌ  Ａｒｅａ  Ｎｅｔｗｏｒｋ；ローカルエリアネットワーク）用の規格であるＩＴＵ‐Ｔ勧告Ｈ.３２３が用いられて構成される。
【０００３】
図８は、このＶｏＩＰ電話システムの全体の構成例を示す図である。また、図９は、この例のＶ０ＩＰ電話システムにおける複数の電話端末の管理についての概念構成図である。
【０００４】
このシステムは、図８に示すように、ＩＴＵ−Ｔ勧告Ｈ．３２３の規格によるＩＰネットワーク１を構成するＬＡＮに対して、電話端末ＴＥの複数個と、ゲートキーパーＧＫの複数個と、クリアリングハウス２と、ゲートウエイ３とが接続されて構成される。
【０００５】
電話端末ＴＥのそれぞれは、コンピュータの機能を備えると共に、ハンドセットＨＳを備えている。このシステム例では、複数個の電話端末ＴＥは、図９に示すように、大きなグループとしてのｎ個（ｎは２以上の整数）のドメインＤ１，Ｄ２，・・・，Ｄｎにグループ分けされる。そして、各ドメインＤ１，Ｄ２，・・・，Ｄｎ内の複数個の電話端末ＴＥが、それぞれ、さらに小グループとしての複数個のゾーンＺ１１〜Ｚ１ｉ、Ｚ２１〜Ｚ２ｊ、・・・、Ｚｎ１〜Ｚｎｋのそれぞれにグループ分けされる。
【０００６】
ゲートウエイ３は、例えばＩＳＤＮなどの公衆電話網４とＩＰネットワーク１とを接続するための機能を備えるもので、連続音声信号とＩＰ音声パケットの相互変換や、ＩＰ音声パケットのゲートキーパーＧＫとのやり取り、さらに、電話番号ＴＥとＩＰアドレスとの相互変換を行う。
【０００７】
ゲートキーパーＧＫは、ＩＴＵ−Ｔ勧告Ｈ．３２３のシステム構成の中で中心的な管理機能を担当するもので、例えばパーソナルコンピュータで構成される。この例の場合、ゲートキーパーＧＫは、ゾーンＺ１１〜Ｚ１ｉ、Ｚ２１〜Ｚ２ｊ、・・・、Ｚｎ１〜Ｚｎｋのそれぞれに一つが設けられ、各ゲートキーパーＧＫは、一つのゾーン内の複数の電話端末ＴＥを管理する。図９の例では、例えば、ゾーンＺ１１では、そのゾーン内の複数個の電話端末ＴＥ１１，ＴＥ１２，・・・の管理をゲートキーパーＧＫ１１が行い、ゾーンＺ２１では、そのゾーン内の複数個の電話端末ＴＥ２１，ＴＥ２２，・・・の管理をゲートキーパーＧＫ２１が行う。
【０００８】
したがって、図９の例の場合、ゲートキーパーＧＫのそれぞれは、小グループであるゾーン内の交換管理を行うグループ内交換管理装置の役割を有するものである。
【０００９】
図９の例においては、ゲートキーパーＧＫは、ゾーン内の電話端末として自己に登録された複数の電話端末ＴＥの管理、帯域幅の割り当て、電話番号とＩＰアドレスの対応付けなどを行い、複数個の電話端末ＴＥによる他の電話端末ＴＥとの電話通信を管理する機能を有する。
【００１０】
また、ゲートキーパーＧＫは、ゲートウエイ３を通じた公衆電話網４と、自己に登録された複数の電話端末ＴＥとの間での電話通信の交換管理も行う。
【００１１】
電話端末ＴＥのそれぞれは、ＩＰネットワーク１に接続されたときに、自端末を管理するゲートキーパーＧＫに登録される。各電話端末ＴＥは、電話番号として公衆番号と内線番号とを有し、ゲートキーパーＧＫには、その両者が登録される。ゲートキーパーＧＫは、これらの番号とＩＰアドレスとの対応を管理する。
【００１２】
クリアリングハウス２は、システム内のドメインＤ１，Ｄ２，・・・，Ｄｎおよび各ドメインＤ１，Ｄ２，・・・，Ｄｎ内の複数個のゾーンＺ１１〜Ｚ１ｉ、Ｚ２１〜Ｚ２ｊ、・・・、Ｚｎ１〜Ｚｎｋを管理するもので、各ゲートキーパーＧＫのＩＰアドレスと、各ゲートキーパーＧＫがいずれの電話端末ＴＥを管理しているかの情報を備える。
【００１３】
すなわち、図９の例のクリアリングハウス２は、システム内のゲートキーパーＧＫおよび電話端末ＴＥの全体の配置を把握して、電話端末間での通信の際の交換を管理するシステム内交換管理装置の役割を果たすものである。
【００１４】
各ドメイン内のすべてのゾーン間では、共通の一つの内線番号計画を行って、内線通話を行うことができる。また、複数のドメイン間においても、共通の一つの内線番号計画を行って、内線通話をそれら複数のドメインに属する電話端末間で内線通話を行うことができる。クリアリングハウス２は、これらドメイン内の複数のゾーン間での内線通話および複数のドメイン間での内線通話のためのアドレス解決を行って、内線通話を実現するようにしている。
【００１５】
【発明が解決しようとする課題】
ところで、以上説明したＶｏＩＰ電話システムにおいては、各電話端末は、それが受けた着信を複数のドメインにまたがって転送することができるようにされている。この場合に、複数のドメイン間で共通の一つの内線番組計画は持たずに、各ドメイン内でのみ、共通の一つの内線番号計画を行うようなシステムにおいて、他のドメインの電話端末に対して着信転送を設定する場合には、その転送先の電話端末は公衆番号により設定する。
【００１６】
この場合の着信転送のシーケンス例を、図１０を参照して説明する。この例は、ドメインＤ３の電話端末ＴＥ３１から、ドメインＤ２の電話端末ＴＥ２１に発信したところ、電話端末ＴＥ２１にはドメインＤ１の電話端末ＴＥ１１への着信転送が設定してあった場合である。このとき、電話端末ＴＥ２１では、転送先アドレスの情報として、ドメインＤ１の電話端末ＴＥ１１の公衆番号が設定されているものである。
【００１７】
まず、電話端末ＴＥ３１では、クリアリングハウス２に対してゲートキーパーＧＫ３１経由で、発信先の電話端末ＴＥ２１のアドレス解決要求が送られる。このアドレス解決要求を受け取ったクリアリングハウス２は、電話端末ＴＥ２１のトランスポートアドレスを含むアドレス解決応答を電話端末ＴＥ３１に返信する。ここで、トランスポートアドレスは、ＩＰアドレスとポート番号とからなるものである。
【００１８】
なお、このアドレス解決応答に当たって、クリアリングハウス２は、電話端末ＴＥ２１を管理するゲートキーパーＧＫ２１にそのアドレス解決要求を転送し、それに対するアドレス解決応答をゲートキーパーＧＫ２１から受け取り、その受け取ったアドレス解決応答を電話端末ＴＥ３１に返信するようにする場合もある。
【００１９】
以上のようにしてアドレス解決応答を受け取った電話端末ＴＥ３１は、そのトランスポートアドレスと電話端末ＴＥ２１の公衆番号を用いて発呼を行うべく、セットアップメッセージＳＥＴ  ＵＰを送出する。
【００２０】
このセットアップメッセージＳＥＴ  ＵＰを受け取った電話端末ＴＥ２１では、電話端末ＴＥ１１への着信転送が設定されているので、ファシリティメッセージＦＡＣとして電話端末ＴＥ１１の公衆番号を含む着信転送のメッセージを、電話端末ＴＥ３１に返す。この着信転送のメッセージを受け取った電話端末ＴＥ３１は、接続開放メッセージＲＥＬ  ＣＯＭＰを送出して、電話端末ＴＥ２１との接続を開放する。
【００２１】
そして、先に受け取った転送先の電話端末ＴＥ１１の公衆番号を用いたアドレス解決要求を、クリアリングハウス２に送る。すると、クリアリングハウス２は、電話端末ＴＥ１１のトランスポートアドレスを含むアドレス解決応答を電話端末ＴＥ３１に返信する。
【００２２】
そこで、このアドレス解決応答を受け取った電話端末ＴＥ３１は、そのトランスポートアドレスと電話端末ＴＥ１１の公衆番号を用いて、セットアップメッセージＳＥＴ  ＵＰを送出して転送先への再呼出しを行う。
【００２３】
このセットアップメッセージＳＥＴ  ＵＰを受け取った電話端末ＴＥ１１は、着信応答メッセージＣＡＬＬ  ＰＲＯＣを電話端末ＴＥ３１に返し、さらに接続メッセージＣＯＮＮＥＣＴを送出する。これにより、電話端末ＴＥ３１と、ＴＥ１１との間に通話路が接続される。
【００２４】
以上のようにして、内線番号計画がドメイン内でのみ行われている場合には、着信転送はなんらの問題もなく行われる。しかしながら、複数のドメイン間で一つの内線番号計画を共有している場合においては、着信転送ができなくなる場合が生じる。
【００２５】
例えば上述の例において、ドメインＤ１とドメインＤ２とでは、内線番号計画を共有しているが、ドメインＤ３では、異なる内線番号計画がなされている場合が、その例である。すなわち、その例の場合には、電話端末ＴＥ２１での着信転送の設定においては、内線番号計画を共有しているドメインＤ１とＤ２との間での着信転送であるので、転送先のアドレスとしては、内線番号が一般に設定される。この状態において、内線番号計画を共有しないドメインＤ３の電話端末ＴＥ３１から電話端末ＴＥ２１に着信があると、図１１のシーケンス図に示すように、着信転送ができなくなるのである。
【００２６】
この図１１のシーケンス図について以下に説明する。
【００２７】
図１０の場合と同様にして、まず、電話端末ＴＥ３１は、クリアリングハウス２に対してゲートキーパーＧＫ３１経由で、発信先の電話端末ＴＥ２１のアドレスの問い合わせを行う。つまり、アドレス解決要求を送る。このアドレス解決要求を受け取ったクリアリングハウス２は、電話端末ＴＥ２１のトランスポートアドレスを含むアドレス解決応答を電話端末ＴＥ３１に返信する。
【００２８】
アドレス解決応答を受け取った電話端末ＴＥ３１は、そのトランスポートアドレスと電話端末ＴＥ２１の公衆番号を用いて発呼を行って、セットアップメッセージＳＥＴ  ＵＰを送出する。
【００２９】
このセットアップメッセージＳＥＴ  ＵＰを受け取った電話端末ＴＥ２１は、着信転送が設定されているので、ファシリティメッセージＦＡＣとして電話端末ＴＥ１１の内線番号を含む電話端末ＴＥ１１への着信転送のメッセージを、電話端末ＴＥ３１に返す。この着信転送のメッセージを受け取った電話端末ＴＥ３１は、接続開放メッセージＲＥＬ  ＣＯＭＰを送出して、電話端末ＴＥ２１との接続を開放する。
【００３０】
そして、電話端末ＴＥ３１は、先に受け取った転送先の電話端末ＴＥ１１の内線番号を用いたアドレス解決要求を、クリアリングハウス２に送る。すると、クリアリングハウス２は、アドレス解決応答を電話端末ＴＥ３１に返信しようとするが、内線番号計画を共有しないドメインの電話端末からの内線番号によるアドレス解決要求であるので、電話端末ＴＥ１１の正しいトランスポートアドレスを返信することができず、電話端末ＴＥ１１への着信転送ができなくなる。
【００３１】
もしも、内線番号計画を共有する複数個のドメイン内の電話端末からの内線番号を用いたアドレス解決要求であれば、その内線番号計画を共有する複数個のドメイン内の内線番号から正しいトランスポートアドレスを検出して、アドレス解決応答をすることができるが、内線番号計画を共有しないドメインからの内線番号を用いたアドレス解決要求は、当該内線番号が、いずれのドメインの内線番号を指定するものであるかをクリアリングハウスが特定することができないからである。
【００３２】
この発明は、以上の点にかんがみ、複数個のドメインで内線番号計画を共有している場合においても、確実に正しく着信転送ができるようにするＶｏＩＰ電話システムおよびそれに用いる電話端末、ゲートキーパーを提供することを目的とする。
【００３３】
【課題を解決するための手段】
上記課題を解決するために、この発明によるＶｏＩＰ電話システムは、
ＩＰネットワークに接続された複数個の電話端末が複数の大グループに分割され、前記大グループ内の複数個の電話端末が、さらに複数の小グループに分割され、前記複数の大グループおよび前記複数の小グループが、システム内交換管理装置によって管理されると共に、前記大グループの複数個で前記電話端末についての内線番号計画を共有することが可能である前記電話端末のＶｏＩＰ電話システムにおける着信転送方法において、
他の電話端末への着信転送の設定がなされている転送元への着信があったときに、前記転送元が、前記システム内交換管理装置に対し転送先についてのアドレス解決要求を送信する工程と、
前記アドレス解決要求を受けた前記システム内交換管理装置が、前記転送先に当該転送先についてのアドレス解決要求を送信する工程と、
前記アドレス解決要求を受けた前記転送先が、当該転送先についての少なくとも公衆番号を製造者特有情報として含むアドレス解決応答を前記システム内交換管理装置に返信する工程と、
前記アドレス解決応答を受信したシステム内交換管理装置が、前記製造者特有情報を含むアドレス解決応答を前記転送元に返信する工程と、
他の電話端末への着信転送の設定が内線番号によってなされていると共に、前記着信が公衆番号を発信元の番号として含むものであったときに、前記システム内交換管理装置からの前記アドレス解決応答を受信した前記転送元が、前記発信元に対して再呼出しのアドレスを公衆番号で通知する工程と
を備えることを特徴とする。
【００３４】
なお、上述の転送元は、着信転送の設定が行われている電話端末そのものである場合と、その電話端末を含む小グループを管理するグループ交換管理装置である場合がある。また、転送先も、転送先の電話端末そのものである場合と、その電話端末を含む小グループを管理するグループ交換管理装置である場合がある。
【００３５】
【作用】
上述の構成のこの発明によれば、転送元は、着信転送に際しては、システム内交換管理装置（前述の例のクリアリングハウスが対応）に着信先のアドレス解決要求を送る。システム内交換管理装置は、転送先にそのアドレス解決要求を送り、転送先から、当該転送先の公衆番号を製造者特有情報として含むアドレス解決応答を受ける。そして、システム内交換管理装置は、受信したアドレス解決応答を、転送元に返信する。
【００３６】
転送元は、着信転送の設定が内線番号によってなされていると共に、着信が公衆番号を発信元の番号として含むものであったときには、受け取ったアドレス解決応答に含まれる公衆番号を転送先の再呼出しのアドレスとして、発信元に送るようにする。
【００３７】
したがって、発信元は、この公衆番号を用いてシステム内交換管理装置にアドレス解決要求を送る。システム内交換管理装置は、この公衆番号によりアドレス解決の処理を行って、発信元にアドレス解決応答を送るので、従来のような問題は無く、転送先に確実に着信転送することができるようになる。
【００３８】
【発明の実施の形態】
以下、この発明によるＶｏＩＰ電話システムの実施の形態について、図を参照しながら説明する。
【００３９】
以下に説明する実施の形態の全体のシステム構成は、図８および図９に示したものと全く同様である。ただし、電話端末ＴＥにおける着信転送時の処理、また、ゲートキーパーＧＫおよびクリアリングハウスにおけるそれに対応する処理が、従来とは異なる。
【００４０】
なお、以下に説明する実施の形態においては、特許請求の範囲におけるシステム内交換管理装置は、クリアリングハウス２が対応し、また、グループ内交換管理装置は、ゲートキーパーＧＫが対応する。
【００４１】
そして、この実施の形態では、請求項１における転送元での処理は、着信転送が設定されている電話端末ＴＥが行い、また、請求項１における転送先の処理は、その転送先の電話端末を管理するゲートキーパーＧＫが行うものとしている。
【００４２】
［電話端末ＴＥのハードウエア構成例］
この実施の形態のシステムにおける電話端末ＴＥのハードウエア構成例を図２に示す。この実施の形態の電話端末ＴＥは、端末本体１００と、ハンドセットＨＳとからなる。ハンドセットＨＳは、図示を省略したが、送話器を構成するマイクロホンと、送話アンプと、受話器を構成するスピーカと、受話アンプとを備えている。
【００４３】
端末本体１００は、コンピュータにより構成されており、ＣＰＵ１１０に対して、システムバス１１１を介して、ＲＯＭ１１２と、ＲＡＭ１１３と、ディスプレイコントローラ１１４と、操作入力インターフェイス（図ではインターフェイスはＩ／Ｆと記載する。以下同じ）１１６と、ＬＡＮインターフェイス１１８と、パケット分解／生成部１１９と、音声データ入出力インターフェイス１２０とが接続されている。
【００４４】
ディスプレイコントローラ１１４には、ディスプレイ１１５が接続されており、このディスプレイ１１５の表示画面には、ＣＰＵ１１０の制御にしたがった表示が行われる。
【００４５】
また、操作入力インターフェイス１１６には、テンキー、カーソルキーやその他の操作キーを含む操作入力部１１７が接続されている。ＣＰＵ１１０は、操作入力インターフェイス１１６を介して操作入力部１１７を通じて使用者がいずれの入力キーを操作したかを認識し、その認識結果に基づいて、キー入力操作に応じた処理をＲＯＭ１１２のプログラムに従って実行する。
【００４６】
ＲＯＭ１１２には、電話端末ＴＥをゲートキーパーＧＫに登録する際の処理シーケンスを実行するためのプログラム、電話端末としての発呼時や着呼時の処理シーケンスを実行するプログラム、着信転送の設定を受け付けるプログラム、着信転送時の処理を実行するためのプログラムなどが記憶されている。
【００４７】
ＲＡＭ１１３は、主としてＲＯＭ１１２のプログラムがＣＰＵ１１０によって実行される際にワークエリアとして使用される。
【００４８】
ＬＡＮインターフェイス１１８は、ＩＰネットワーク１を構成するＬＡＮを通じて送られてくるパケット化データを取り込み、また、ＩＰネットワーク１を構成するＬＡＮにパケット化データを送出するための機能を備える。
【００４９】
パケット分解／生成部１１９は、ＬＡＮインターフェイス１１８により取り込んだパケット化データを分解して、制御データや音声データを得る機能と、送信する制御データや音声データをパケット化して送出するパケット化データを生成する機能を有する。このパケット分解／生成部１１９は、パケット化データを分解したり、生成したりするためのバッファメモリを備える。
【００５０】
なお、このパケット分解／生成部１１９のパケット分解処理機能や生成処理機能は、ＣＰＵ１１０と、ＲＯＭ１１２とにより、ソフトウエアとして実現することもできる。
【００５１】
音声データ入出力インターフェイス１２０は、パケット分解されて得られた音声データをアナログ音声信号に変換してハンドセットＨＳに供給し、また、ハンドセットＨＳから入力されるアナログ音声信号をデジタル信号に変換して取り込む機能を備える。
【００５２】
［ゲートキーパーＧＫのハードウエア構成例］
次に、この実施の形態のシステムにおけるゲートキーパーＧＫのハードウエア構成例を図３に示す。この実施の形態のゲートキーパーＧＫは、例えばパーソナルコンピュータにより構成されるもので、ＣＰＵ２１０に対して、システムバス２１１を介してＲＯＭ２１２と、ＲＡＭ２１３と、ＬＡＮインターフェイス２１４と、パケット処理部２１５と、ゾーン管理メモリ２１６とが接続されている。
【００５３】
ＲＯＭ２１２には、電話端末ＴＥから登録要求があったときの処理シーケンスを実行するためのプログラムや、電話番号情報とＩＰアドレスとの変換の処理プログラム、クリアランスハウス２からのアドレス解決要求に対するアドレス解決応答を生成して返信するプログラムなど、ゲートキーパーＧＫが実行する処理プログラムが記憶されている。
【００５４】
ＲＡＭ２１３は、主としてＲＯＭ２１２のプログラムがＣＰＵ２１０によって実行される際にワークエリアとして使用される。
【００５５】
また、ＬＡＮインターフェイス２１４は、ＩＰネットワーク１を通じて送られてくるパケット化データを取り込み、また、ＩＰネットワーク１にパケット化データを送出するための機能を備える。
【００５６】
パケット処理部２１５は、ＬＡＮインターフェイス２１４により取り込んだパケットが、制御データのパケットであった場合には、その制御データを解読するために、受信したパケットを分解し、また、送信する制御データのパケット化データを生成する機能を有する。
【００５７】
また、ＬＡＮインターフェイス２１４により取り込んだパケットが音声データのパケットの場合には、ゲートキーパーＧＫは、ゲートウエイ３からのパケットは電話端末ＴＥに宛てて、電話端末ＴＥからのパケットはゲートウエイ３または他の電話端末ＴＥに宛てて、その音声パケットを転送するようにする。
【００５８】
そして、パケット処理部２１５は、パケット化データを分解／生成したり、転送処理のために一時保存したりするためのバッファメモリを備える。
【００５９】
ゾーン管理メモリ２１６は、ゲートウエイ３やゾーン内の複数の電話端末ＴＥの登録情報やそれらのＩＰアドレスおよび、電話端末のＩＰアドレスと電話番号との対応などの情報を記憶している。ＣＰＵ２１０は、それらの情報を用いて、パケットの行き先のＩＰアドレスを決定したり、受信先のＩＰアドレスを判別したりする。
【００６０】
電話端末ＴＥの電話番号情報としては、公衆番号と内線番号とがあるが、ゾーン管理メモリ２１６には、その両方が登録されて管理されている。
【００６１】
［クリアリングハウスのハードウエア構成例］
次に、この実施の形態のシステムにおけるクリアリングハウス２のハードウエア構成例を図４に示す。この実施の形態のクリアリングハウスは、例えばパーソナルコンピュータにより構成されるもので、ＣＰＵ３１０に対して、システムバス３１１を介してＲＯＭ３１２と、ＲＡＭ３１３と、ＬＡＮインターフェイス３１４と、パケット処理部３１５と、システム内管理メモリ３１６とが接続されている。
【００６２】
ＲＯＭ３１２には、電話端末ＴＥからのアドレス解決要求があったときのアドレス解決処理シーケンスを実行するためのプログラムや、アドレス解決要求に対するアドレス解決応答を生成して返信するプログラムなど、クリアリングハウス２が実行する処理プログラムが記憶されている。
【００６３】
ＲＡＭ３１３は、主としてＲＯＭ３１２のプログラムがＣＰＵ３１０によって実行される際にワークエリアとして使用される。
【００６４】
また、ＬＡＮインターフェイス３１４は、ＩＰネットワーク１を通じて送られてくるパケット化データを取り込み、また、ＩＰネットワーク１にパケット化データを送出するための機能を備える。
【００６５】
パケット処理部３１５は、ＬＡＮインターフェイス３１４により取り込んだパケットが、制御データのパケットであった場合には、その制御データを解読するために、受信したパケットを分解し、また、送信する制御データのパケット化データを生成する機能を有する。パケット処理部３１５は、パケット化データを分解／生成したり、転送処理のために一時保存したりするためのバッファメモリを備える。
【００６６】
システム内管理メモリ３１６は、各ドメインを管理するゲートキーパーＧＫの登録情報やＩＰアドレスなどと、各ゲートキーパーＧＫが管理する複数の電話端末ＴＥの番号情報などを記憶している。ＣＰＵ３１０は、それらの情報を用いて、アドレス解決要求に対する処理を行う。
【００６７】
［着信転送処理のシーケンスの説明］
この実施の形態における着信シーケンス例を、前述の図１１の例と同じ条件における場合を例にとって、以下に説明する。すなわち、この場合の条件は、ドメインＤ１とドメインＤ２とで、共通の内線番号計画を有している状態において、ドメインＤ３の電話端末ＴＥ３１から、ドメインＤ２の電話端末ＴＥ２１に発信したところ、電話端末ＴＥ２１にはドメインＤ１の電話端末ＴＥ１１への着信転送が設定してあった場合である。そして、このとき、電話端末ＴＥ２１では、転送先アドレスの情報として、ドメインＤ１の電話端末ＴＥ１１の内線番号が設定されているものである。
【００６８】
図１は、このときの着信転送のシーケンス図であり、図５は、転送元としての電話端末ＴＥ２１での処理を示すフローチャート、図６は、クリアリングハウス２での処理を示すフローチャート、図７は、ゲートキーパーＧＫでの処理を示すフローチャートである。以下、これらの図を参照しながら、説明する。
【００６９】
まず、図１のシーケンス図に示すように、電話端末ＴＥ３１は、クリアリングハウス２に対してゲートキーパーＧＫ３１経由で、発信先の電話端末ＴＥ２１のアドレス解決要求を送る。
【００７０】
クリアリングハウス２は、このアドレス解決要求を受け取ると（図６のステップＳ２１）、このアドレス解決要求を、そのアドレス解決要求対象の電話端末を管理するゲートキーパー、この例の場合には電話端末ＴＥ２１を管理するゲートキーパーＧＫ２１に、転送する（ステップS２２）。
【００７１】
ゲートキーパーＧＫ２１は、このアドレス解決要求を受け取ると（図７のステップＳ３１）、アドレス解決要求された電話端末ＴＥ２１のトランスポートアドレスを含むと共に、この電話端末ＴＥ２１の公衆番号および内線番号を、ＩＴＵ−Ｔ勧告のＨ．３２３で定められているＮＳＤ（Ｎｏｔ  Ｓｔａｎｄａｒｄ；製造者特有情報）によって含むアドレス解決応答を、クリアリングハウス２に返信する（ステップＳ３２）。
【００７２】
クリアリングハウス２は、このゲートキーパーＧＫ２１からのアドレス解決応答を受信すると（図６のステップＳ２３）、電話端末ＴＥ２１のトランスポートアドレスを含むと共に、電話端末ＴＥ２１の公衆番号および内線番号を製造者特有情報によって含むアドレス解決応答を、電話端末ＴＥ３１に返信する（ステップＳ２４）。
【００７３】
以上のようにしてアドレス解決応答を受け取った電話端末ＴＥ３１は、そのトランスポートアドレスと電話端末ＴＥ２１の公衆番号を用いて発呼を行って、セットアップメッセージＳＥＴ  ＵＰを送出する。このとき、セットアップメッセージＳＥＴ  ＵＰに含まれる発ＩＤ（発信者識別情報）としては、電話端末ＴＥ３１は、電話端末ＴＥ２１とは内線番号計画が共通ではないので、電話端末３１の公衆番号が用いられる。なお、このときには、製造者特有情報として送られてくる番号情報は用いられない。
【００７４】
電話端末ＴＥ２１は、このセットアップメッセージＳＥＴ  ＵＰを受け取ると（図５のステップＳ１）、着信転送が設定されているか否か判別する（ステップＳ２）。着信転送が設定されていなければステップＳ１０に進んで、通常の着信処理ルーチンを実行するが、この例では、着信転送が設定されているので、ステップＳ３に進み、転送先は内線番号により設定されているか、または公衆番号によって設定されているかを判別する（ステップＳ３）。
【００７５】
転送先が公衆番号によって設定されている場合には、図１０に示したように、転送先の公衆番号を含めた着信転送のファシリティメッセージＦＡＣを、発信元の電話端末ＴＥ３１に送る（ステップＳ１１）。そして、電話端末ＴＥ３１からの接続開放要求に応じて電話端末３１との接続を開放する（ステップＳ９）。
【００７６】
しかし、この例の場合には、転送先として内線番号が設定されているので、電話端末ＴＥ２１は、この内線番号を用いて転送先である電話端末ＴＥ１１のアドレス解決要求をクリアリングハウス２に送る（ステップＳ４）。
【００７７】
クリアリングハウス２では、電話端末ＴＥ２１についてのアドレス解決要求の処理と全く同様にして、アドレス解決要求を受け取ると（図６のステップＳ２１）、このアドレス解決要求を、そのアドレス解決要求対象の電話端末を管理するゲートキーパー、この場合には電話端末ＴＥ１１を管理するゲートキーパーＧＫ１１に、転送する（ステップS２２）。
【００７８】
ゲートキーパーＧＫ１１は、このアドレス解決要求を受け取ると（図７のステップＳ３１）、アドレス解決要求された電話端末ＴＥ１１のトランスポートアドレスを含むと共に、この電話端末ＴＥ１１の公衆番号および内線番号を製造者特有情報によって含むアドレス解決応答を、クリアリングハウス２に返信する（ステップＳ３２）。
【００７９】
クリアリングハウス２は、このゲートキーパーＧＫ１１からのアドレス解決応答を受信すると（図６のステップＳ２３）、電話端末ＴＥ１１のトランスポートアドレスを含むと共に、電話端末ＴＥ１１の公衆番号および内線番号を製造者特有情報によって含むアドレス解決応答を、電話端末ＴＥ２１に返信する（ステップＳ２４）。
【００８０】
電話端末ＴＥ２１は、このクリアリングハウスからのアドレス解決応答を受け取ると（ステップＳ５）、その応答メッセージ中の製造者特有情報から転送先の公衆番号および内線番号を抽出する（ステップＳ６）。
【００８１】
そして、発信元からのセットアップメッセージＳＥＴ  ＵＰに含まれる発ＩＤ（発信者識別情報）が公衆番号であったか、内線番号であったかを判別する（ステップＳ７）。ここで、発ＩＤが内線番号であれば、内線番号計画を共有する電話端末からの着信であると判別でき、また、発ＩＤが公衆番号であれば、内線番号計画を共有しない電話端末からの着信であると判別できる。
【００８２】
この例では、電話端末ＴＥ３１からのセットアップメッセージＳＥＴ  ＵＰに含まれる発ＩＤは公衆番号であるので、転送先のアドレス情報として公衆番号を含めた着信転送のファシリティメッセージＦＡＣを発信元の電話端末に送る（ステップＳ８）。
【００８３】
このファシリティメッセージＦＡＣを受け取った電話端末ＴＥ３１は、電話端末ＴＥ２１に対して接続開放要求ＲＥＬ  ＣＯＭＰを送出する。電話端末ＴＥ２１は、この電話端末３１からの接続開放要求ＲＥＬ  ＣＯＭＰに応じて電話端末３１との接続を開放する（ステップＳ９）。
【００８４】
次に、着信転送のファシリティメッセージＦＡＣを受け取った電話端末３１は、そのメッセージに含まれる転送先の公衆番号を用いて、クリアリングハウス２にアドレス解決要求を送る。
【００８５】
クリアリングハウス２では、このアドレス解決要求を受け取ると（図６のステップＳ２１）、このアドレス解決要求を、そのアドレス解決要求対象の電話端末を管理するゲートキーパー、この場合には電話端末ＴＥ１１を管理するゲートキーパーＧＫ１１に、転送する（ステップS２２）。
【００８６】
ゲートキーパーＧＫ１１は、このアドレス解決要求を受け取ると（図７のステップＳ３１）、アドレス解決要求された電話端末ＴＥ１１のトランスポートアドレスを含むと共に、この電話端末ＴＥ１１の公衆番号および内線番号を製造者特有情報によって含むアドレス解決応答を、クリアリングハウス２に返信する（ステップＳ３２）。
【００８７】
クリアリングハウス２は、このゲートキーパーＧＫ１１からのアドレス解決応答を受信すると（図６のステップＳ２３）、電話端末ＴＥ１１のトランスポートアドレスを含むと共に、電話端末ＴＥ１１の公衆番号および内線番号を製造者特有情報によって含むアドレス解決応答を、電話端末ＴＥ３１に返信する（ステップＳ２４）。
【００８８】
以上のようにしてアドレス解決応答を受け取った電話端末ＴＥ３１は、そのトランスポートアドレスと電話端末ＴＥ１１の公衆番号を用いて発呼を行って、セットアップメッセージＳＥＴ  ＵＰを送出する。
【００８９】
このセットアップに対して電話端末ＴＥ１１が応答すると、応答メッセージＣＡＬＬ  ＰＲＯＣが電話端末ＴＥ１１から送出され、また、接続メッセージＣＯＮＮＥＣＴが続いて送出され、電話端末ＴＥ３１と電話端末ＴＥ１１との間に通話路が形成される。以上のようにして、着信転送が完了する。
【００９０】
なお、ステップＳ７で、発ＩＤが内線番号であると判別したときには、転送元の電話端末は、転送先のアドレス情報として内線番号を含めた着信転送のファシリティメッセージＦＡＣを発信元の電話端末に送る（ステップＳ１２）。そして、発信元の電話端末からの接続開放要求に応じて発信元の電話端末との接続を開放する（ステップＳ９）。
【００９１】
そして、発信元の電話端末は、受け取った内線番号を用いて転送先に再呼出しのセットアップを行う。すると、この場合には、内線番号計画を共有する電話端末間での着信転送であるので、なんらの問題なく着信転送が行われる。
【００９２】
［他の実施の形態］
以上の実施の形態では、転送元としての処理は、電話端末が行ったが、各電話端末の着信転送の設定をゲートキーパーが管理するように構成すれば、この転送元での処理を、ゲートキーパーが行うようにすることもできる。
【００９３】
また、以上の実施の形態では、転送先としての処理は、その転送先の電話端末を管理するゲートキーパーが行うようにしたが、転送先の電話端末自身が、この転送先としての処理を実行するように構成することもできる。
【００９４】
また、図５において、ステップＳ３およびステップＳ１１は、ステップＳ６の後に、設けてもよい。
【００９５】
【発明の効果】
以上説明したように、この発明によれば、複数個の大グループ（ドメイン）間で内線番号計画を共有することが可能な場合において、着信転送先として、その内線番号計画を共有する複数の大グループ内の電話端末が、内線番号によって設定してある場合であっても、内線番号計画を共有しない電話端末からの着信の転送を確実に行うことができるようになる。
【図面の簡単な説明】
【図１】この発明によるＶｏＩＰ電話システムの実施の形態における着信転送処理のシーケンス例を示す図である。
【図２】この発明によるＶｏＩＰ電話システムの実施の形態に用いる電話端末のハードウエア構成例を示す図である。
【図３】この発明によるＶｏＩＰ電話システムの実施の形態に用いるゲートキーパーのハードウエア構成例を示す図である。
【図４】この発明によるＶｏＩＰ電話システムの実施の形態に用いるクリアリングハウスのハードウエア構成例を示す図である。
【図５】この発明によるＶｏＩＰ電話システムの実施の形態に用いる電話端末での着信転送処理動作を説明するためのフローチャートである。
【図６】この発明によるＶｏＩＰ電話システムの実施の形態に用いるクリアリングハウスの動作説明のためのフローチャートである。
【図７】この発明によるＶｏＩＰ電話システムの実施の形態に用いるゲートキーパーの動作説明のためのフローチャートである。
【図８】ＶｏＩＰ電話システムの全体の構成例を示す図である。
【図９】ＶｏＩＰ電話システムにおける複数の電話端末の管理についての概念構成図である。
【図１０】ＶｏＩＰ電話システムにおける着信転送のシーケンス例を示す図である。
【図１１】ＶｏＩＰ電話システムにおける着信転送の他のシーケンス例を示す図である。
【符号の説明】
１  ＩＰネットワーク（ＬＡＮ）
２  クリアリングハウス
ＴＥ  電話端末
ＧＫ  ゲートキーパー
【図１】
0003831636.tif 000002
【図２】
0003831636.tif 000003
【図３】
0003831636.tif 000004
【図４】
0003831636.tif 000005
【図５】
0003831636.tif 000006
【図６】
0003831636.tif 000007
【図７】
0003831636.tif 000008
【図８】
0003831636.tif 000009
【図９】
0003831636.tif 000010
【図１０】
0003831636.tif 000011
【図１１】
0003831636.tif 000012